(57)【要約】【課題】  音声通信を行いながら画像配信を行うＴＶ電話システムを提供する。【解決手段】  画像通信装置１００に、ポートＡＰ１〜ＡＰ３と、ポートＤＰ１，ＤＰ２と、電話機１０と公衆網１３との間でアナログ電話制御を行うアナログ電話アダプタ部４０と、電話機１０とＩＰ網１４との間でＩＰ電話制御を行うＩＰ電話アダプタ部５０と、ＩＰ電話とＩＰ映像通信の制御と設定を行うＩＰ電話・映像制御／設定部６０と、ディスプレイ１１及びカメラ１２とＩＰ網１４との間でＩＰ映像通信制御を行うＩＰ映像アダプタ部７０と、アダプタ部５０及びアダプタ部６０とＩＰ網１４との間で通信を制御するブロードバンドルータ２１を備え、アダプタ５０および制御／設定手段６０ならびにアダプタ部７０がＤＰ１，ＤＰ２からＩＰ網１４との間で端末間を接続する端末間接続手順と、端末間でデータを伝送する伝達手順と、画像圧縮符号化・複合化手段７４，７５とを備えた。【選択図】        図２
2006074151.tif 000002
【特許請求の範囲】
【請求項１】
アナログ電話機と接続する第１のアナログポートと、カメラおよび映像ディスプレイ装置と接続し画像を入出力する第２のアナログポートと、公衆電話網と接続する第３のアナログポートと、ＩＰ網と接続する第１および第２のディジタルポートと、アナログ電話機と公衆電話網との間でアナログ電話制御を行うアナログ電話アダプタ部と、アナログ電話機とＩＰ網との間でＩＰ電話制御を行うＩＰ電話アダプタ部と、ＩＰ電話とＩＰ映像通信の制御と設定を行うＩＰ電話・映像制御／設定部と、映像ディスプレイおよびカメラとＩＰ網との間でＩＰ映像通信制御を行うＩＰ映像アダプタ部とを具備した画像通信装置であって、
ＩＰ電話アダプタ部およびＩＰ映像アダプタ部とＩＰ網との間で通信を制御するブロードバンドルータを備え、
ＩＰ電話アダプタおよびＩＰ電話・映像制御／設定手段ならびにＩＰ映像アダプタ部がディジタルポートからＩＰ網との間で端末間を接続する端末間接続手順と、端末間でデータを伝送する伝達手順と、画像圧縮符号化・複合化手段とを備えることを
特徴とする画像通信装置。
【請求項２】
請求項１記載の画像通信装置であって、第１および第２のディジタルポートがＬＡＮインタフェースとしての１０ＢＡＳＥ−Ｔ／１００ＢＡＳＥ−ＴＸポートであることを特徴とする画像通信装置。
【請求項３】
請求項１記載の画像通信装置であって、アナログ電話アダプタ部が、オンフック／オフフック信号検出手段と、公衆電話網との接続処理を行う回線接続処理手段と、公衆電話網接続インタフェースと、着信からトーンを検出するトーン検出手段と、ＤＴＭＦ発生手段とを有し、
ＩＰ電話アダプタ部が、アナログ電話機からのプッシュボタン（ＰＢ）信号を検出するＰＢ信号検出手段と、着信からトーンを検出するトーン検出手段と、アナログ電話機に通知するトーンを発生するトーン発生手段と、ＩＰ網との接続処理を行う回線接続処理手段と、ＩＰ網接続インタフェースとを備える
ことを特徴とする画像通信装置。
【請求項４】
請求項１記載の画像通信装置であって、ＩＰ電話・映像制御／設定手段が、音声交信接続が確立した状態で映像交信要求があったときに、対応する相手にＩＰ通信網を介しての接続指示をＩＰ映像アダプタに出力する
ことを特徴とする画像通信装置。
【請求項５】
請求項１記載の画像通信装置であって、ＩＰ映像アダプタが、画像合成処理／表示制御手段と、ＩＰ網との接続処理を行う回線接続処理手段とを備える
ことを特徴とする画像通信装置。
【請求項６】
アナログ電話機と接続する第１のアナログポートと、カメラおよび映像ディスプレイ装置と接続し画像を入出力する第２のアナログポートと、ＩＰ電話機能付ブローとバンドルータと接続する第３のアナログポートと、ＩＰ電話機能付ブロードバンドルータと接続するディジタルポートと、アナログ電話機とＩＰ電話機能付ブロードバンドルータとの間でアナログ電話制御を行うアナログ電話アダプタ部と、ＩＰ電話とＩＰ映像通信の制御と設定を行うＩＰ電話・映像制御／設定部と、映像ディスプレイおよびカメラとＩＰ電話機能付簿ロードバンドルータとの間でＩＰ映像通信制御を行うＩＰ映像アダプタ部とを具備し、ＩＰ電話機能付ブロードバンドルータに接続される画像通信装置であって、
ＩＰ電話・映像制御／設定手段ならびにＩＰ映像アダプタ部がディジタルポートからＩＰ電話機能付ブロードバンドルータを介してＩＰ網との間で端末間を接続する端末間接続手順と、端末間でデータを伝送する伝達手順と、画像圧縮符号化・複合化手段とを備える
ことを特徴とする画像通信装置。
【請求項７】
請求項６記載の画像通信装置であって、第２のディジタルポートがＬＡＮインタフェースとしての１０ＢＡＳＥ−Ｔ／１００ＢＡＳＥ−ＴＸポートであることを特徴とする画像通信装置。
【請求項８】
請求項６記載の画像通信装置であって、アナログ電話アダプタ部が、オンフック／オフフック信号検出手段と、公衆電話網との接続処理を行う回線接続処理手段と、公衆電話網接続インタフェースと、着信からトーンを検出するトーン検出手段とを有する
ことを特徴とする画像通信装置。
【請求項９】
請求項６記載の画像通信装置であって、ＩＰ電話・映像制御／設定手段が、音声交信接続が確立した状態で映像交信要求があったときに、対応する相手にＩＰ通信網を介しての接続指示をＩＰ映像アダプタに出力する
ことを特徴とする画像通信装置。
【請求項１０】
請求項６記載の画像通信装置であって、ＩＰ映像アダプタが、画像合成処理／表示制御手段と、ＩＰ網との接続処理を行う回線接続処理手段とを備える
ことを特徴とする画像通信装置。
【発明の詳細な説明】
【技術分野】
【０００１】
本発明は、ブロードバンド通信ＩＰ網を利用したＴＶ電話サービスの構成に係り、特にＩＰ−ＴＶ電話機能を有する画像通信装置に関する。
【背景技術】
【０００２】
音声による交信と画像による交信を同時に行うＴＶ電話は、ＩＳＤＮ（Ｉｎｔｅｇｒａｔｅｄ  Ｓｅｒｖｉｃｅ  Ｄｉｇｉｔａｌ  Ｎｅｔｗｏｒｋ）を使ったディジタルネットワークで実現化される。このＩＳＤＮでは、Ｄチャネルに発呼側と着信側の接続を行うためのデータを収容して、それに附属するＢチャネルに音声や映像のデータを収容することで、一つのダイヤリング番号操作で呼を接続してＴＶ電話を使うことができた。しかし、ＩＳＤＮではダイヤリングによる回線接続を１対１で保証するために、利用コストが高くまたナローバンドと呼ばれＢチャネルを用いた６４ｋｂｐｓ程度の転送速度でのサービスであったために、滑らかな映像が見えるまでに至らず、利用範囲は限られていた。
【０００３】
ＩＳＤＮに変わってＩＰ（インターネット  プトコル）を利用したネットワーク（網）がディジタルネットワークとして台頭し、特に近年はＡＤＳＬ（Ａｓｙｍｍｅｔｒｉｃａｌ  Ｄｉｇｉｔａｌ  Ｓｕｂｓｃｒｉｂｅｒ  Ｌｉｎｅ）やＦＴＴＨ（Ｆｉｂｅｒ  Ｔｏ  Ｔｈｅ  Ｈｏｍｅ）などＩＳＤＮの数倍から数百倍のデータ通信ができるブロードバンド通信が利用できるようになった。このＩＰ網では、ベストエフォートと呼ばれる全データの転送は保証しない代わりに利用者同士でネットワークの帯域を共有することで施設の利用コストが大幅に下がり、ブロードバンドの利用も可能となった。利用者が少ない時（輻輳していないとき）には伝送速度でＩＳＤＮに比べて格段に良質な映像交信が低料金で利用できるようになった。
【０００４】
図４を用いて、音声交信のためのＩＰ電話サービスの概要を説明する。アナログ電話機１０−１とアナログ電話機１０−２は、それぞれＩＰ電話アダプタ１１０−１とＩＰ電話アダプタ１１０−２を経由してＩＰ網１４を介して接続され、音声交信１−５，１−６がなされる。また、アナログ電話機１０−１は、公衆電話網１３に接続されたアナログ電話機１０−３と、ＩＰ電話アダプタ１１０−１を経由して公衆電話網１３を介して接続され、音声交信１−３，１−４がなされる。さらに、アナログ電話機１０−１は、ＩＰ電話アダプタ１１０−１を経由してＩＰ網１４、公衆電話網１３とＩＰ網１４に配置されたゲートウェイ１６、公衆電話網１３を介して、アナログ電話機１０−３と接続され、音声交信１−７，１−８がなされる。
【０００５】
ＩＰ網を利用したＴＶ電話の一つの形態として、専用のマイクと専用のＷｅｂカメラと繋いだＰＣ（Ｐｅｒｓｏｎａｌ  Ｃｏｍｐｕｔｅｒ）を利用して、音声信号と映像信号をコンピュータデータ化して、ＩＰ網に設けたインターネットプロバイダのサービスを介して双方向交信する形態が現れた。この構成では、音声データと映像データを束ねて一つのＩＰアドレスを付与して、サービスプロバイダと契約するとともに、専用のソフトをインストールして専用のサービスサーバを介してデータ交信を行う手法がとられた。
【０００６】
このＰＣ利用のＴＶ電話サービスは、一般的な電話の利用とは独立したインターネットサービスプロバイダと専用の契約を結ぶことによって契約利用者間でのＴＶ電話としての利用する方式であるために、一般的な音声電話とは別のシステムとなり、一般利用者にとっては使い勝手が余り良くないものであった。さらに、ディジタルデバイド層と呼ばれるＰＣの操作に慣れていない利用者に対してはほとんどが不要な機能を持つ高価なＰＣを購入する必要があるということ、ＰＣという複雑な設定を使いこなさなくてはならない困難さがあるということから、利用は限定的なものであった。
【０００７】
ディジタルデバイド層を含めた利用者として、現時点では、ＴＶ電話の構成としては従来の電話サービスをベースに映像を加えることにより、ＰＣを用いることなく、ＴＶ電話として利用できるならばその方が望ましいものである。
【０００８】
この形態のＩＰ−ＴＶ電話の一例としては、既存の公衆電話網を利用した音声電話機で音声交信を行いながら、インターネット網で映像交信を行うシステムについて、（株）サン・コミュニケーションズから「Ｖｉｓｕａｌ  Ｐｈｏｎｅ  Ａｄａｐｔｅｒ（仮称）」が発表されている。このシステムは、電話線に専用のＴＶ電話アダプタを接続し、ＴＶ電話アダプタから音声電話線とＬＡＮケーブルをＩＰ電話アダプタ機能付ＡＤＳＬモデムに接続して、ＰＣを経由せずにＩＰ網を経由してＴＶ電話アダプタ同士で交信してＴＶ電話を実現するものである。この製品はＩＰ電話の音声通話上から相手ＩＰアドレスを取得して映像交信を行うという独自の方式を用いてＴＶ電話サービスができるとしている（例えば、非特許文献１参照）。
【０００９】
また、ボタン電話装置からのボタン情報を検出してコンピュータへ指示を読み出し、この指示をコンピュータへ送信し、コンピュータが受けた指示をあらかじめ定めた変換テーブルを参照して所定の動作を行うようことにより、ボタン電話装置をコンピュータの入力装置として用いることが提案されている。（例えば、特許文献１参照）。
【特許文献１】特開２０００−３１２２６２号公報
【非特許文献１】http://www.suncomm.co.jp/vpa/index.html
【発明の開示】
【発明が解決しようとする課題】
【００１０】
上記従来の技術では、ＩＰ電話利用時にのみ相互に映像配信が可能であり、公衆電話網を利用して音声系交信を行い、ＰＣを使用せずにＩＰ網を利用したＩＰ電話によって映像系交信を行うことはできなかった。
【００１１】
本発明は、ブロードバンド通信ＩＰ網を利用して、公衆電話網使用またはＩＰ電話による音声通信を行いながら画像配信を行うＴＶ電話ができるようにすることを目的とする。さらに、本発明は、ＩＰ電話機能付ブロードバンドルータを使用する場合に、ＩＰ−ＴＶ電話アダプタとして既存の装置のＩＰ電話機能を継続しながら、映像交信機能を追加することを目的とする。
【課題を解決するための手段】
【００１２】
上記課題を解決するため、本発明は、アナログ電話機と接続する第１のアナログポートと、カメラおよび映像ディスプレイ装置と接続し画像を入出力する第２のアナログポートと、公衆電話網と接続する第３のアナログポートと、ＩＰ網と接続する第１および第２のディジタルポートと、アナログ電話機と公衆電話網との間でアナログ電話制御を行うアナログ電話アダプタ部と、アナログ電話機とＩＰ電話網との間でＩＰ電話制御を行うＩＰ電話アダプタ部と、ＩＰ電話とＩＰ映像通信の制御と設定を行うＩＰ電話・映像制御／設定部と、映像ディスプレイおよびカメラとＩＰ網との間でＩＰ映像通信制御を行うＩＰ映像アダプタ部とを具備した画像通信装置であって、ＩＰ電話アダプタ部およびＩＰ映像アダプタ部とＩＰ網との間で通信を制御するブロードバンドルータを備え、ＩＰ電話アダプタおよびＩＰ電話・映像制御／設定手段ならびにＩＰ映像アダプタ部がディジタルポートからＩＰ網との間で端末間を接続する端末間接続手順と、端末間でデータを伝送する伝達手順と、画像圧縮符号化・複合化手段とを備えることを特徴とする。
【００１３】
また、本発明は、上記画像通信装置において、第１および第２のディジタルポートがＬＡＮインタフェースとしての１０ＢＡＳＥ−Ｔ／１００ＢＡＳＥ−ＴＸポートであること、アナログ電話アダプタ部が、オンフック／オフフック信号検出手段と、公衆電話網との接続処理を行う回線接続処理手段と、公衆電話網接続インタフェースと、着信からトーンを検出するトーン検出手段と、ＤＴＭＦ発生手段とを有し、ＩＰ電話アダプタ部が、アナログ電話機からのプッシュボタン（ＰＢ）信号を検出するＰＢ信号検出手段と、着信からトーンを検出するトーン検出手段と、アナログ電話機に通知するトーンを発生するトーン発生手段と、ＩＰ網との接続処理を行う回線接続処理手段と、ＩＰ網接続インタフェースとを備えることを特徴とする。
【００１４】
さらに、本発明は、上記画像通信装置において、ＩＰ電話・映像制御／設定手段が、音声交信接続が確立した状態で映像交信要求があったときに、対応する相手にＩＰ通信網を介しての接続指示をＩＰ映像アダプタに出力すること、ＩＰ映像アダプタが、画像合成処理／表示制御手段と、ＩＰ網との接続処理を行う回線接続処理手段とを備えることを特徴とする。
【００１５】
上記課題を解決するため、本発明は、アナログ電話機と接続する第１のアナログポートと、カメラおよび映像ディスプレイ装置と接続し画像を入出力する第２のアナログポートと、ＩＰ電話機能付ブローとバンドルータと接続する第３のアナログポートと、ＩＰ電話機能付ブロードバンドルータと接続するディジタルポートと、アナログ電話機とＩＰ電話機能付ブロードバンドルータとの間でアナログ電話制御を行うアナログ電話アダプタ部と、ＩＰ電話とＩＰ映像通信の制御と設定を行うＩＰ電話・映像制御／設定部と、映像ディスプレイおよびカメラとＩＰ電話機能付簿ロードバンドルータとの間でＩＰ映像通信制御を行うＩＰ映像アダプタ部とを具備し、ＩＰ電話機能付ブロードバンドルータに接続される画像通信装置であって、ＩＰ電話・映像制御／設定手段ならびにＩＰ映像アダプタ部がディジタルポートからＩＰ電話機能付ブロードバンドルータを介してＩＰ網との間で端末間を接続する端末間接続手順と、端末間でデータを伝送する伝達手順と、画像圧縮符号化・複合化手段とを備えることを特徴とする。
【００１６】
また、本発明は、上記画像通信装置において、第２のディジタルポートがＬＡＮインタフェースとしての１０ＢＡＳＥ−Ｔ／１００ＢＡＳＥ−ＴＸポートであること、アナログ電話アダプタ部が、オンフック／オフフック信号検出手段と、公衆電話網との接続処理を行う回線接続処理手段と、公衆電話網接続インタフェースと、着信からトーンを検出するトーン検出手段とを有することを特徴とする。
【００１７】
さらに、本発明は、上記画像通信装置において、ＩＰ電話・映像制御／設定手段が、音声交信接続が確立した状態で映像交信要求があったときに、対応する相手にＩＰ通信網を介しての接続指示をＩＰ映像アダプタに出力すること、ＩＰ映像アダプタが、画像合成処理／表示制御手段と、ＩＰ網との接続処理を行う回線接続処理手段とを備えることを特徴とする。
【発明の効果】
【００１８】
上記構成を有する本発明は、ブロードバンド通信ＩＰ網を利用して、公衆電話網使用またはＩＰ電話による音声通信を行いながら画像配信を行うＴＶ電話ができ、また、既存の様々なタイプのアナログ電話機をそのまま映像交信用の呼接続や表示制御に使用することが可能であり、ＴＶ電話の普及を促すことができる。
【発明を実施するための最良の形態】
【００１９】
以下、本発明の第１の実施例にかかるＩＰ−ＴＶ電話システムの基本構成について図１（Ａ）を用いて説明する。この実施例は、画像通信装置すなわちＩＰ−ＴＶ電話アダプタがＩＰ電話機能を有するとともにブロードバンドルータを具備している例である。このＩＰ−ＴＶ電話アダプタを用いたＩＰ−ＴＶ電話システムは、図４に示した音声交信系をそのまま用いており、映像交信系はＩＰ網１４を介して行われる。すなわち、この実施例の画像通信システムは、アナログ電話機１０−１，１０−２をＩＰ−ＴＶ電話アダプタ１００−１，１００−２を経由して公衆電話網１３またはＩＰ網１４を介して接続して、音声交信１−３、１−４または１―５，１―６するとともに、カメラ１２−１と映像ディスプレイ装置１１−２とカメラ１２−２と映像ディスプレイ装置１１−１とをＩＰ−ＴＶ電話アダプタ１００−１，１００−２を経由してＩＰ網１４を介して接続して、映像交信２−３，２−４が行われる。
【００２０】
ＩＰ−ＴＶ電話アダプタ１００−１，１００−２においては、公衆電話網１３またはＩＰ網１４の音声系交信の接続先に関する情報３をＩＰ接続情報として用い、同じ相手先と音声系交信および映像系交信を行う。すなわち、ＩＰ−ＴＶ電話アダプタ１００−１，１００−２では、映像信号の呼接続のために、ＩＰ電話の音声交信の番号に関連した情報や公衆電話網の音声交信の呼接続情報などの情報３を画像交信系に通知する。映像系ＩＰ電話機能（映像交信系）側では、音声交信における呼接続情報から映像交信の接続先を判断して映像系呼接続を実行する。
【００２１】
映像交信系では、独立して相手の電話番号に関連した情報から呼接続処理を実行して映像交信が可能な状態とする。この映像交信が可能な状態は利用者に表示され、利用者の操作により、自カメラ１２−１で撮影した映像データをＩＰ網１４を介して送信２−３し、相手のカメラ１２−２で撮影した映像データ２−４を映像ディスプレイ装置１１−１に表示することが可能である。逆に、相手側もＩＰ−ＴＶ電話アダプタ１００−２により、カメラ１２−２の映像データをＩＰ網１４を介して送信２−４し、相手のカメラ１２−１で撮影した映像データ２−３を映像ディスプレイ装置１１−２に表示することが可能であり、音声通信と同時に行うことでＩＰ−ＴＶ電話を実現する。
【００２２】
上記流れにおいて、当事者間の直接的な交信が行われる形であるが、実際の映像呼接続に利用される相手情報は、相手との電話音声から取得するＩＰアドレスでなく、ダイヤリングの番号に関連した情報をベースとするものである。
【００２３】
図２を用いて、第１の実施例にかかるＩＰ−ＴＶ電話アダプタ１００の詳細な構成を説明する。このＩＰ−ＴＶ電話アダプタ１００は、ＩＰ電話機能およびブロードバンドルータ機能を有している。画像通信装置すなわちＩＰ−ＴＶ電話アダプタ１００は、アナログ電話制御を行うアナログ電話アダプタ部４０と、ＩＰ電話制御を行うＩＰ電話アダプタ部５０と、音声系交信の接続情報から映像系交信の接続情報などを作成し、音声系および映像系の接続などを制御するＩＰ電話・映像制御／設定部６０と、映像ＩＰ電話制御を行うＩＰ映像アダプタ部７０と、ＩＰ網との接続を制御するブロードバンドルータ部２１とを有して構成される。さらに、ＩＰ−ＴＶ電話アダプタ１００は、アナログ電話機１０からの通話を、アナログ電話アダプタ部４０−１またはＩＰ電話アダプタ部５０に切り替える分岐切替手段４９と、相手映像装置の情報を表示する相手映像装置情報表示手段６９とを有している。
【００２４】
アナログ電話アダプタ部４０−１は、アナログ電話機１０からのオンフック信号またはオフフック信号を検出するオンフック／オフフック信号検出手段４１と、アナログ外線からの着信トーンを検出するトーン検出手段４２と、ＩＰ電話・映像制御／設定部６０からの信号に基づいてＤＴＭＦを生成するＤＴＭＦ発生手段４３と、ＩＰ電話・映像制御／設定部６０からの信号に基づいて公衆電話網１３との回線接続を実行する回線接続処理手段４４と、公衆電話網１３との接続を整合させる公衆電話網接続インタフェース４５とを有して構成される。アナログ電話アダプタ部４０−１は、一方が第１のアナログポートＡＰ１を介してアナログ電話機１０に接続された分岐切替手段４９に、他方が公衆電話網１３に接続される第３のアナログポートＡＰ３に接続される。
【００２５】
分岐切替手段４９は、一方が、アナログ電話機１０と接続される第１のアナログポートＡＰ１に接続され、他方が、アナログ電話アダプタ部４０−１とＩＰ電話アダプタ部５０に接続される。
【００２６】
ＩＰ電話アダプタ部５０は、ディジタル／アナログ変換（Ｄ／Ａ）手段５１と、アナログ／ディジタル変換（Ａ／Ｄ）手段５２と、ＩＰ電話・映像制御／設定部６０からの指示に基づいてアナログ電話機１０へのトーン信号を発生するトーン発生手段５３と、アナログ電話機１０からのダイヤル信号であるプッシュボタン（ＰＢ）信号を検出するＰＢ信号検出手段５４と、ＩＰ網１４からの音声交信からトーンを検出するトーン検出手段５５と、ＩＰ網１４からの符号化音声信号を複合するデコーダ５６と、アナログ電話機からの音声信号を符号化するエンコーダ５７と、ＩＰ電話・映像制御／設定部６０からの信号に基づいてＩＰ網１４との回線接続を実行する回線接続処理手段５８と、ＩＰ網１４との接続を整合させる音声電話ＩＰ網接続インタフェース５９とを有して構成される。ＩＰ電話アダプタ部５０の一方が分岐切替手段４９に、他方がブロードバンドルータ部２１を介してＬＡＮインタフェースとしての１０ＢＡＳＥ−Ｔ／１００ＢＡＳＥ−ＴＸポートである第１のディジタルポートＤＰ１に接続される。
【００２７】
ＩＰ電話・映像制御／設定部６０は、アナログ電話アダプタ部４０とＩＰ電話アダプタ部５０からの検出信号に基づいてこれらの制御を行う音声系制御信号処理手段６１と、音声系制御信号処理手段６１からの信号およびＩＰ映像アダプタ部７０ならびに保守端末制御部６３からの信号に基づいてＩＰ映像アダプタ部７０の制御を行う映像系制御信号処理手段６２と、保守端末制御６３とを有して構成される。保守端末制御手段６３は、保守端末１８と接続され、ＩＰ−ＴＶ電話アダプタの保守および制御を行う。
【００２８】
ＩＰ映像アダプタ部７０は、ディジタル／アナログ変換（Ｄ／Ａ）手段７１と、アナログ／ディジタル変換（Ａ／Ｄ）手段７２と、画像の合成や表示制御を行う画像合成処理／表示制御手段７３と、ＩＰ網１４からの圧縮符号化映像信号を復号するデコーダ７４と、カメラ１２からの映像信号を圧縮符号化するエンコーダ７５と、ＩＰ電話・映像制御／設定部６０からの信号に基づいてＩＰ網１４との回線接続を実行する回線接続処理手段７６と、ＩＰ網１４との接続を整合させる映像ＩＰ網接続インタフェース７７とを有している。ＩＰ映像アダプタ部７０の一方が映像ディスプレイ装置１１およびカメラ１２が接続される第２のアナログポートＡＰ２に、他方がブロードバンドルータ部２１を介してＬＡＮインタフェースとしての１０ＢＡＳＥ−Ｔ／１００ＢＡＳＥ−ＴＸポートである第２のディジタルポートＤＰ２に接続される。
【００２９】
ブロードバンドルータ部２１は、ＩＰ網１４に接続される第１のディジタルポートＤＰ１と、ＩＰ網１４に接続される第２のディジタルポートＤＰ２とを有し、内部側ではＩＰ電話アダプタ部５０とＩＰ映像アダプタ部７０に接続される。
【００３０】
アナログ電話機１０のダイヤル信号や音声信号１−１は、分岐切替手段４９で、アナログ電話アダプタ部４０−１とＩＰ電話アダプタ部５０に分岐される。オンフック／オフフック信号検出手段４１ではアナログ電話機１０の受話器のオンフック信号またはオフフック信号を検出して利用者が電話を利用することを把握する。その検出情報４−１はＩＰ電話・映像制御／設定部６０の音声系制御信号処理手段６１に通知される。音声系制御信号処理手段６１からは、トーン信号発声指示５−４をトーン発生部５３に送信して利用者にオフフックの音が聞こえるようトーンを発生させる。そのトーン３−２がアナログ電話機１０への経路に挿入される。トーン３−２は、Ｄ／Ａ手段５１でアナログ信号に変換され、切替指示６−４によりＩＰ電話接続に設定された分岐切替手段４９を経由してアナログ電話機１０の受信音１−２となる。利用者はこの音を聞いて電話がＯＮ状態であることを確認することにより次のダイヤリング操作を行うことが可能である。
【００３１】
アナログ電話機１０のダイヤル信号１−１は、ＩＰ電話アダプタ部５０のＡ／Ｄ変換手段５２でディジタル信号化される。ＰＢ信号検出手段５４で検出されたダイヤル情報５−１は、音声系制御信号処理手段６１に通知される。音声系制御信号処理手段６１ではダイヤル内容に応じてＩＰ電話呼接続設定制御またはアナログ電話呼接続設定制御の判定を行う。
【００３２】
ＩＰ電話呼接続設定制御では、公衆電話網１３に限定された番号以外の番号についてＩＰ網１４経由での音声電話接続を実行する。相手側電話番号に対応するＩＰ網１４での宛名ＵＲＩが得られる情報通知と呼接続指示５−３を回線接続処理手段５８に対して行う。回線接続処理手段５８ではＳＩＰ等呼接続処理との整合を取りながら、ＩＰ網１４経由での呼接続処理を行う。それらの信号は全てＩＰパケットとして音声電話ＩＰ網接続インタフェース５９を経由し、さらにブロードバンドルータ部２１を介して外線信号１−５としてＩＰ網１４のインターネットサービスプロバイダとの接続処理を行う。
【００３３】
接続が確立すると、回線接続処理手段５８を経由して利用者の音声がＩＰ網１４を介して交信される。回線接続処理手段５８から音声系制御信号処理手段６１にＩＰ電話呼接続が通知５−３されると、その情報を映像系制御信号処理手段６２に通知６−１する。もし、輻輳などによりＩＰ網１４の音声呼接続において相手が接続できない場合には、公衆電話網１３を経由したアナログ電話呼接続制御を行い、アナログによる音声電話を接続する。
【００３４】
アナログ電話呼接続制御では、音声系制御信号処理手段６１から回線接続処理手段４４に接続指示４−４が通知され、ＤＴＭＦ発生手段４３に利用者のダイヤル番号をトーンとして発生する指示４−３が通知される。ＤＴＭＦ発生手段４３は、指示４−３によりダイヤル番号３−１を出力する。信号回線接続処理手段４４では公衆電話網接続インタフェース４５を経由して外線とアナログ信号線が接続するようにしてＤＴＭＦ発生手段４３からのダイヤル番号信号１−３を発信する。相手との接続は相手からの信号１−４に含まれる呼出トーンの変化などをトーン検出手段４２で検出して、呼接続確立情報として音声系制御信号処理手段６１に通知４−２する。
【００３５】
以上の処理により、音声電話の呼接続をＩＰ網１４経由または公衆電話網１３経由で確立すると共にその後のＩＰ映像呼接続制御が可能となる。
【００３６】
次に、ＩＰ映像呼接続制御に関して説明する。相手映像装置情報確認のためにアナログ電話機１０からの指定ダイヤルを、ＰＢ信号検出手段５４において検出して音声系制御信号処理手段６１に通知５−１し、さらに映像系制御信号処理手段６２に通知６−１するか、または、保守端末１８からの設定により保守端末制御部６６から映像系制御信号処理手段６２へ通知する。映像系制御信号処理手段６２からはＩＰ映像アダプタ部７０の回線接続処理手段７６に上記の相手の電話番号情報と映像呼接続指示が通知６−３される。回線接続処理手段７６ではＳＩＰ等呼接続処理との整合を取りながら、ＩＰ網１４経由での呼接続処理を行う。それらの信号は、全てＩＰパケットとして映像ＩＰ網接続インタフェース７７を経由してブロードバンドルータ部２１を介して外線信号２−３となり、ＩＰ網１４のインターネットサービスプロバイダとの接続処理を進める。
【００３７】
接続が確立すると映像呼接続情報が通知６−３される。映像系制御信号処理手段６２では、映像呼接続が確立されたことを相手映像装置情報表示手段６９に対して交信可能と表示するよう指示６−５し、相手映像装置情報表示手段６９はその指示に従い映像交信可能を表示する。利用者はその表示を見て映像接続が可能であることを確認し、アナログ電話機１０から指定ダイヤルを入力する。ＰＢ信号検出手段５４が検出した検出通知５−１を音声系制御信号処理手段６１が受けて映像系制御信号処理手段６２に通知６−１し、そこから回線接続処理手段７６にカメラ１２からの撮影信号２−１をＡ／Ｄ手段７２でディジタル変換してエンコーダ７５でエンコードした信号を、映像ＩＰ網接続インタフェース７７を介して外線信号２−３として送信するように指示６−３する。または、保守端末１８からの設定を保守端末制御手段６３が受けて映像系制御信号処理手段６２に通知し、同様に回線接続処理手段６２へ外線信号２−３として出力するように指示する。このとき、同時に映像系制御信号処理手段６２から画像合成処理／表示制御手段７３に対して相手からのＩＰ網１４経由で受信した映像信号２−４をデコーダ７４でデコードして画像合成処理／表示制御手段７３で加工した信号を流す指示６−２を行う。回線接続処理手段７６と映像系制御信号処理手段６２は、その指示に従いエンコードした信号のパケット信号を送出するとともに受信信号のデコードデータをＤ／Ａ手段７１からのアナログ信号２−２を映像ディスプレイ装置１１に流して、相手の映像が映像ディスプレイ装置１１に表示する。また、アナログ電話機１０のオンフックや相手からのオンフック信号を検出した場合、または、保守端末１８からの設定により設定制御完了あるいはＩＰ電話アダプタ部５０の回線接続処理手段５８に切断指示５−３、あるいはアナログ電話アダプタ部４０−１の回線接続処理手段４４に切断指示４−４、および、ＩＰ映像アダプタ部７０の回線接続処理手段７６に切断指示６−３と、画像合成処理／表示装置７３に表示停止指示６−２を行う。
【００３８】
以上により、ブロードバンド通信ＩＰ網１４を利用しＩＰ電話、または公衆電話網１３使用による音声通信を行いながら画像配信を行うＴＶ電話ができる。
【００３９】
本発明の第２の実施例にかかるＩＰ−ＴＶ電話システムの基本構成について、図１（Ｂ）を用いて説明する。この実施例は、画像通信装置すなわちＩＰ−ＴＶ電話アダプタがＩＰ電話機能付ブロードバンドルータに接続される例である。このＩＰ−ＴＶ電話アダプタを用いたＩＰ−ＴＶ電話システムは、図４に示した音声交信系をそのまま用いており、映像交信系はＩＰ網１４を介して行われる。すなわち、この実施例の画像通信システムは、アナログ電話機１０−１，１０−２をＩＰ−ＴＶ電話アダプタ１０１−１，１０１−２とＩＰ電話機能付ブロードバンドルータ２０−１，２０−２経由して公衆電話網１３またはＩＰ網１４を介して接続して、音声交信１−３、１−４または１―５，１―６するとともに、カメラ１２−１とディスプレイ装置１１−２とカメラ１２−２とディスプレイ装置１１−１とをＩＰ−ＴＶ電話アダプタ１０１−１，１０１−２を経由してＩＰ網１４を介して接続して、映像交信２−３，２−４が行われる。
【００４０】
図３を用いて、第２の実施例にかかるＩＰ−ＴＶ電話アダプタ１０１の構成の詳細を説明する。このＩＰ−ＴＶ電話アダプタ１０１は、ＩＰ電話機能付ブロードバンドルータ２０に接続される。ＩＰ−ＴＶ電話アダプタ１０１は、アナログ電話制御を行うアナログ電話アダプタ部４０−２と、ＩＰ電話・映像制御／設定部６０と、ＩＰ映像アダプタ部７０とを有して構成される。さらに、ＩＰ−ＴＶ電話アダプタ１０１は、相手映像装置の情報を表示する相手映像装置情報表示手段６９を有している。
【００４１】
アナログ電話アダプタ部４０−２は、アナログ電話機１０からのオンフック信号またはオフフック信号を検出するオンフック／オフフック信号検出手段４１と、アナログ外線からの着信トーンを検出するトーン検出手段４２と、公衆電話網接続インタフェース４５と、ダイヤルトーン検出手段４６と、アナログ音声電話インタフェース４７とを有して構成される。アナログ電話アダプタ部４０−２は、一方が第１のアナログポートＡＰ１に、他方がＩＰ機能付ブロードバンドルータ２０に接続される第３のアナログポートＡＰ３に接続される。
【００４２】
ＩＰ電話・映像制御／設定部６０は、音声系制御信号処理手段６１と、映像系制御信号処理手段６２と、保守端末制御６３とを有して構成される。保守端末制御手段６３は、保守端末１８と接続され、ＩＰ−ＴＶ電話アダプタの保守および制御を行う。映像系制御信号処理手段６２の出力は相手映像装置情報表示手段６９に送出される。
【００４３】
ＩＰ映像アダプタ部７０は、ディジタル／アナログ変換（Ｄ／Ａ）手段７１と、アナログ／ディジタル変換（Ａ／Ｄ）手段７２と、画像合成処理／表示制御手段７３と、デコーダ７４と、エンコーダ７５と、回線接続処理手段７６と、映像ＩＰ網接続インタフェース７７とを有している。ＩＰ映像アダプタ部７０の一方が映像ディスプレイ装置１１およびカメラ１２が接続される第２のアナログポートＡＰ２に、他方がＩＰ電話機能付ブロードバンドルータ２０を介してＩＰ網１４に接続されるＬＡＮインタフェースとしての１０ＢＡＳＥ−Ｔ／１００ＢＡＳＥ−ＴＸポートである第２のディジタルポートＤＰ２に接続される。
【００４４】
ＩＰ電話機能付ブロードバンドルータ２０は、ＩＰ電話機能を有しており、ＩＰ−ＴＶ電話アダプタ１０１の第３のアナログポートＡＰ３に接続されて音声系の信号が入出力され、公衆電話網１３との間でアナログ音声信号１−３，１−４が入出力され、ＩＰ網１４との間でＩＰ電話機能によるディジタル音声信号１−５，１−６が入出力される。さらにＩＰ電話機能付ブロードバンドルータ２０は、ＩＰ−ＴＶ電話アダプタ１０１の第２のディジタルポートＤＰ２に接続されて映像系の信号が入出力され、ＩＰ網１４との間で映像信号２−３，２−４が入出力される。
【００４５】
アナログ電話機１０のダイヤル信号や音声信号１−１は、アナログ音声電話インタフェース４７を経由してアナログ電話アダプタ部４０−２につながれる。オンフック／オフフック信号検出部４１では電話機の受話器のオンフック信号またはオフフック信号を検出して利用者が電話を利用することを把握する。その検出情報４−１はＩＰ電話・映像制御／設定部６０の音声系制御信号処理手段６１に通知される。音声系制御信号処理手段６１ではダイヤル内容に応じて音声電話使用時制御の判定を行う。
【００４６】
アナログ電話アダプタ部４０−２のトーン検出手段４２の情報４−２とオンフック／オフフック信号検出手段４１でのオフフック信号の通知４−１により、音声系制御信号処理手段６１で音声電話の呼接続を確認し、その信号６−１に基づきＩＰ映像アダプタ部７０でＩＰ映像呼接続制御を行う。
【００４７】
以下、ＩＰ映像アダプタ部７０における映像呼接続制御について説明する。まず、相手映像装置情報を確認するために、利用者がアナログ電話機１０から入力したダイヤル信号からＰＢ信号検出手段５４で相手映像装置の電話番号を検出する。この相手電話番号の信号４−５を音声系制御信号処理手段６１に送信し、音声系制御信号処理手段６１は映像系制御信号処理手段６２に通知６−１する。他の方法として、保守端末１８から入力された相手映像装置の電話番号を保守端末制御部６３で検出して、映像系制御信号処理手段６２に通知６−６する。映像系制御信号処理手段６２は、相手の電話番号情報と映像呼接続指示をＩＰ映像アダプタ部７０の回線接続処理手段７６に通知６−３する。回線接続処理手段７６ではＳＩＰ等呼接続処理との整合を取りながら、ＩＰ網１４経由での呼接続処理を行う。
【００４８】
呼接続処理の信号は全てＩＰパケットとして映像ＩＰ網接続インタフェース７７を経由してブロードバンドルータ部２１を介して外線信号２−３となり、ＩＰ網１４のインターネットサービスプロバイダとの接続処理と進める。接続が確立すると回線接続処理手段７６から映像系制御信号処理手段６２へ映像呼接続情報が通知６−３される。映像系制御信号処理手段６２は、映像呼接続が確立されたことを相手映像装置情報表示手段６９に対して交信可能を表示する指示６−５を出力し、相手映像装置情報表示手段６９は、その指示に従い映像交信可能を表示する。
【００４９】
利用者は、その表示を見て映像接続が可能であることを確認してアナログ電話機１０のダイヤルにより指定番号を入力し、ダイヤルトーン検出手段４６が検出通知４−５を音声系制御信号処理手段６１へ出力する。音声系制御信号処理手段６１は、検出通知６−１を映像系制御信号処理手段６２へ送信する。指定番号の入力は、保守端末１８からの設定によっても行うことができ、この場合は、保守端末制御手段６３が、指定番号の通知６−６を映像掲載魚信号処理手段６２へ出力する。
【００５０】
映像系制御信号処理手段６２は、回線接続処理手段７６にカメラ１２からの撮影信号２−１をＡ／Ｄ手段７２でディジタル変換してエンコーダ７５でエンコードした信号を映像ＩＰ網接続インタフェース７７を介して外線信号２−３として送信されるように指示６−３する。また、同時に映像系制御信号処理手段６２から画像合成処理／表示制御手段７３に対して相手からのＩＰ網１４経由で受信した映像信号２−４をデコーダ７４でデコードして画像合成処理／表示制御手段７３で加工した信号を流す指示６−２を行う。回線接続処理手段７６と映像系制御信号処理手段６２はその指示に従い、エンコードした信号のパケット信号を送出すると共に受信信号のデコードデータをＤ／Ａ手段７１からのアナログ信号２−２を映像ディスプレイ装置１１に流して、相手の映像が映像ディスプレイ装置１１に表示される。
【００５１】
アナログ電話機１０のオンフック信号を検出したオンフック／オフフック信号検出手段４１からのオンフック検出通知４−１を、または、相手からのオンフック信号を検出したトーン検出手段４２からの相手オンフック検出通知４−２を、音声系制御信号処理手段６１が受信すると、または、保守端末１８からの設定により、設定制御完了の通知８−１を保守端末制御手段６３が受けると、アナログ電話アダプタ部４０−２に切断を指示するとともに、ＩＰ映像アダプタ部７０の回線接続処理手段７６に切断指示６−３を、画像合成処理／表示制御手段７３に表示停止指示６−２を行う。
【００５２】
以上により、IP電話機能付ブロードバンドルータを使用してブロードバンド通信ＩＰ網を利用しＩＰ電話、または公衆電話網使用による音声通信を行いながら画像配信を行うＴＶ電話ができる。
【図面の簡単な説明】
【００５３】
【図１（Ａ）】本発明の第１の実施形態が適用されるＩＰ−ＴＶ電話サービスシステムの構成の概要を説明する図。
【図１（Ｂ）】本発明の第２の実施形態が適用されるＩＰ−ＴＶ電話サービスシステムの構成の概要を説明する図。
【図２】ＩＰ電話機能及びブロードバンドルータ機能を有するＩＰ−ＴＶ電話アダプタの機能構成図。
【図３】ＩＰ電話機能付ブロードバンドルータを使用する場合のＩＰ−ＴＶ電話アダプタの機能構成図。
【図４】従来のＩＰ電話サービスシステムの構成の概要を説明する図。
【符号の説明】
【００５４】
１０  アナログ電話機
１１  映像ディスプレイ装置
１２  カメラ
１３  公衆電話網
１４  ＩＰ網
１６  ゲートウェイ
１８  保守端末
１９  ＰＣ
２０  ＩＰ電話機能付ブロードバンドルータ
２１  ブロードバンドルータ部
４０  アナログ電話アダプタ部
４１  オンフック／オフフック信号検出手段
４２  トーン検出手段
４３  ＤＴＭＦ発生手段
４４  回線接続処理手段
４５  公衆電話網接続ＩＦ
４６  ダイヤルトーン検出手段
４７  アナログ音声電話インタフェース
４９  分岐切替手段
５０  ＩＰ電話アダプタ部
５１  Ｄ／Ａ手段
５２  Ａ／Ｄ手段
５３  トーン発生手段
５４  ＰＢ信号検出手段
５５  トーン検出手段
５６  デコーダ
５７  エンコーダ
５８  回線接続処理手段
５９  音声電話ＩＰ網接続インタフェース
６０  ＩＰ電話・映像制御／設定部
６１  音声系制御信号処理手段
６２  映像系制御信号処理手段
６３  保守端末制御部
６９  相手映像装置情報表示部
７０  ＩＰ映像アダプタ部
７１  Ｄ／Ａ手段
７２  Ａ／Ｄ手段
７３  画像合成処理／表示制御主案
７４  デコーダ
７５  エンコーダ
７６  回線接続処理手段
７７  映像ＩＰ網接続インタフェース
１００  画像通信装置（ＩＰ−ＴＶ電話アダプタ）
１０１  画像通信装置（ＩＰ−ＴＶ電話アダプタ）
１１０  ＩＰ電話アダプタ
【図１（Ａ）】
2006074151.tif 000003
【図１（Ｂ）】
2006074151.tif 000004
【図２】
2006074151.tif 000005
【図３】
2006074151.tif 000006
【図４】
2006074151.tif 000007